(57)【要約】【課題】従来のデジタルカメラで撮影を行なう場合、写真の上手な人に比べてそれほど写真がうまく取れなかった。【解決手段】デジタルカメラと、サーバーと、ネットワークとを備えたデジタルカメラシステムで、前記デジタルカメラは画像を表示する表示手段に、現在地情報を前記サーバーに前記ネットワークを介して送信し、前記サーバーはあらかじめ記憶した前記現在地の所定範囲の近傍における少なくとも一つの画像を前記ネットワークを介して前記デジタルカメラに送信し、前記デジタルカメラは前記画像を前記表示手段に表示するよう制御する制御手段を備えたデジタルカメラシステム。【選択図】図１
2010119069.tif 000002
【特許請求の範囲】
【請求項１】
デジタルカメラと、サーバーと、ネットワークとを備えたデジタルカメラシステムで、前記デジタルカメラは画像を表示する表示手段と、現在位置情報を前記サーバーに前記ネットワークを介して送信する通信手段を備え、前記サーバーはあらかじめ記憶した前記現在位置の所定の近傍範囲における少なくとも一つの画像を前記ネットワークを介して前記デジタルカメラに送信する通信手段を備え、前記デジタルカメラは前記画像を前記表示手段に表示するよう制御する制御手段と、前記表示手段に表示された前記画像から画像を選択する手段を備えたデジタルカメラシステム。
【請求項２】
前記現在位置情報は郵便番号のような現在位置を識別する識別情報または市町村、名所等の名称である請求項１に記載のデジタルカメラシステム。
【請求項３】
前記デジタルカメラは、前記現在位置を検出するＧＰＳ（Ｇｌｏｂａｌ  Ｐｏｓｉｔｉｏｎｉｎｇ  Ｓｅｎｓｉｎｇ  Ｓｙｓｔｅｍ）検出手段を備えた請求項１に記載のデジタルカメラシステム。
【請求項４】
外部磁界の方位を検出するための電子コンパスを備えた請求項１に記載のデジタルカメラシステム。
【請求項５】
カメラを固定し、移動可能にする雲台を取り付け、カメラの位置を変更可能にする手段を備えた請求項１に記載のデジタルカメラシステム。
【請求項６】
前記電子コンパスから出力される方位に対して前記デジタルカメラのレンズの光軸と所定の関係になるよう前記雲台を回転させる手段を備えた請求項４に記載のデジタルカメラシステム。
【請求項７】
前記サーバーは前記デジタルカメラからの情報により前記近傍範囲を拡大する手段を備えた請求項１に記載のデジタルカメラシステム。
【発明の詳細な説明】
【技術分野】
【０００１】  本発明は、デジタルカメラとネットワークとサーバーを備え、現在位置における撮影をガイドするデジタルカメラシステムに関する。
【背景技術】
【０００２】  従来、旅行先で素晴らしい写真をガイドブックまたは旅行先のパンフレット等でみたことがあるが、それをまねた写真を撮ろうと試みたが撮れないことが多かった。【０００３】  そこで被写体の種別に応じた複数の撮影モードが設定可能で、前記撮影モード毎に応じて撮影時における装置の撮影条件を制御し、前記撮影モードに対応する被写体の見本となる複数の見本画像を記憶し、記憶された見本画像を表示し、見本画像に対応する撮影モードを設定する設定する設定手段とを備えたものとしたカメラ装置が知られている（特許文献１）。【０００４】  以下、図１２〜１４に基づいて特許文献１を説明する。
電子スチルカメラのレンズとは反対側にあるＴＦＴ液晶モニター１８に図１２に示したようなモード選択画面２０１を表示する。モード選択画面２０１は、「通常（フルオート）」、「ポートレート」、「風景」、「夜景」の３つの撮影モードと、撮影モードを指定するためのシーンセレクトモードが示されている。【０００５】  シーンセレクトモードには複数の選択画面が用意されていて、シーンセレクトモードが選択されたときには、ＴＦＴ液晶モニター１８の表示を、図１３に示したシーンセレクト選択画面２０２へ切り替える。【０００６】  シーンセレクトモードで用意されている画面、すなわち見本画像は図１４に示すとおり、２９種類あり、選択キーを＋（プラス）キーを押すことにより番号が歩進され次の番号の画面に移動し、−（マイナス）キーを押すともとの画面に戻る。図１２のように２９番目の画面状態のときに＋（プラス）キーを押すと、１番目の画面に移動する。逆に１番目の画面から−（マイナス）キーを押すと２９番目の画面に戻る。【０００７】  つまり、撮影者によって、これから撮影しようとする被写体に対応する見本画像１０３が選択されると、その被写体の撮影に適した撮影条件が自動的に設定されることとなる。よって、従来よりも撮影条件が細かく設定された撮影モードが多数存在する場合であっても、撮影モードの設定に混乱を生じることなく、誰もが被写体により適切な撮影条件を容易に設定することが可能となる。同時に、撮影者の好みに応じた撮影結果を簡単に得ることができる。【０００８】
【特許文献１】  特開平３５４３１３５号公報
【発明の開示】
【発明が解決しようとする課題】
【０００９】  しかしながら、特許文献１では、シーンとしての雰囲気とか感じを見本画像を参考にして撮影上の絞り、シャッター速度、フォーカスをセットするものであった。しかしながら、二度と行くことが困難な旅行とかそこの土地の風景画像を撮ろうとする場合に、どのアングルがよいか、構図とかを指示されておらず、アマチュアが素晴らしいアングルの写真を撮ることが困難であるという問題があった。
【課題を解決するための手段】
【００１０】    上記目的を達成するために、請求項１は、デジタルカメラと、サーバーと、ネットワークとを備えたデジタルカメラシステムで、前記デジタルカメラは画像を表示する表示手段と、現在位置情報を前記サーバーに前記ネットワークを介して送信する通信手段を備え、前記サーバーはあらかじめ記憶した前記現在位置の所定の近傍範囲における少なくとも一つの画像を前記ネットワークを介して前記デジタルカメラに送信する通信手段を備え、前記デジタルカメラは前記画像を前記表示手段に表示するよう制御する制御手段と、前記表示手段に表示された前記画像から画像を選択する手段を備えたデジタルカメラシステムを提供するものである。【００１１】  請求項２は、前記現在位置情報は郵便番号のような現在位置を識別する識別情報または市町村、名所等の名称である請求項１に記載のデジタルカメラシステムを提供するものである。【００１２】  請求項３は、前記デジタルカメラは、前記現在位置を検出するＧＰＳ（Ｇｌｏｂａｌ  Ｐｏｓｉｔｉｏｎｉｎｇ  Ｓｅｎｓｉｎｇ  Ｓｙｓｔｅｍ）検出手段を備えた請求項１に記載のデジタルカメラシステムを提供するものである。【００１３】  請求項４は、外部磁界の方位を検出するための電子コンパスを備えた請求項１に記載のデジタルカメラシステムを提供するものである。【００１４】  請求項５は、カメラを固定し、移動可能にする雲台を取り付け、カメラの位置を変更可能にした請求項１に記載のデジタルカメラシステムを提供するものである。【００１５】  請求項６は、前記電子コンパスから出力される方位に対して前記デジタルカメラのレンズの光軸と所定の関係になるよう前記雲台を回転させる請求項４に記載のデジタルカメラシステムを提供することにある。【００１６】  請求項７は、前記サーバーは前記デジタルカメラからの情報により前記近傍範囲を拡大する手段を備えた請求項１に記載のデジタルカメラシステムを提供することにある。
【発明の効果】
【００１７】  上述したように本発明のデジタルカメラシステムは、デジタルカメラで現在位置情報を入力またはＧＰＳ情報のように衛星から現在位置情報を取得し、その現在位置情報をサーバーに送って、サーバーからプロカメラマンが撮れるような画像をデジタルカメラ側に送信してもらい、その画像の中から撮影者が選択して、そのときの現在位置情報と方位信号をデジタルカメラにセットすると、撮影者が撮影をしてプロカメラマンのような素晴らしい画像を撮ることができる。
【発明を実施するための最良の形態】
【００１８】  以下、本発明の実施の形態を図１〜図１１に基づいて説明する。【００１９】  図１は本発明のデジタルカメラシステムの第１の実施例を示す概念図である。
１はデジタルカメラで、２はネットワークで、３はサーバーを示し、１Ａは表示手段で、１Ｂは現在位置に関する情報を入力する入力手段を示し、１Ｃはサーバーから送付される現在位置近傍の見本となる画像の少なくとも一つの画像の中から一つの画像を選択する画像選択スイッチである。また、１Ｄは電源、１Ｅは制御回路を示す。【００２０】  図２は本発明のデジタルカメラシステムに関する第１の実施例の作動を示すブロック図を図３の制御回路１Ｅのプログラムの内容を示すフローチャートで説明する。
現在位置情報入力手段１Ｂが現在位置に関する情報を制御回路１Ｅに入力されるとネットワーク２を介してＳ２で示すようにサーバー３に送信される。Ｓ３で示すようにサーバー３からネットワーク２を介してデジタルカメラ１の制御回路１Ｅを介して、Ｓ４で示すように表示手段１Ａに前記現在位置の近傍の少なくとも１つの見本となる画像が表示される。Ｓ５で所望の画像があるか否かを判別し、所望の画像があれば、Ｓ６に進み、画像選択スイッチ１Ｃをオンすると、Ｓ７で示すように見本画像の中から所望の画像を取得して見本画像取得モードを終了する。もしＳ５で所望の画像がなければＳ９で示すように見本画像の取得を断念し終了する。【００２１】  図４は本発明の第２の実施例を示し、図３と異なる制御回路１Ｅの内容を示すプログラムである。図３のフローチャートでは所望の画像がなければ見本画像の取得を断念しているが、図４では所望の画像が得られないときは所望の画像を得られるべく検索範囲の拡大を中止するかどうかを判定し、検索範囲の拡大している点である、すなわち現在位置の近傍の範囲を拡大している点である。
現在位置情報入力手段１Ｂが現在位置に関する情報を制御回路１Ｅに入力されるとネットワーク２を介してＳ１２で示すようにサーバー３に送信される。Ｓ１３で示すようにサーバー３からネットワーク２を介してデジタルカメラ１の制御回路１Ｅを介して、Ｓ１４で示すように表示手段１Ａに前記現在位置の近傍の少なくとも１つの見本となる画像が表示される。Ｓ１５で所望の画像があるか否かを判別し、所望の画像があれば、Ｓ１６に進み、画像選択スイッチ１ＣをオンするとＳ１７で示すように見本画像の中から所望の画像を取得して見本画像取得モードを終了する。もしＳ１５で所望の画像がなければＳ１９に進み、現在位置近傍の範囲、デジタルカメラ１から指示して即ち検索範囲を拡張するか否かを判定し、否の場合はＳ１８に進み、見本画像の取得を断念し終了する。検索範囲を拡大すると判定した場合はＳ２０に進み、サーバー３にその旨を送信し、現在位置情報の近傍の範囲を拡張した範囲の画像をＳ１３に示すようにサーバー３からデジタルカメラに送信し、Ｓ１４に進み表示手段１Ａでその画像を表示する。画像数が増加した状態で所望の画像があるかを判定し、所望の画像があれば、画像選択スイッチ１Ｃをオンすることにより画像を取得して見本画像取得モードを終了する。【００２２】  図５は図３、図４のフローチャートのＳ３でサーバー３からデジタルカメラ１に送信された画像の例を示す。現在位置に近いところの画像を表示し、ここでは４つの画像から所望の画像を選択する。【００２３】  図６のように所望の画像が表示手段１Ａの１Ｙで示される見本画像領域に表示され、これに似た画像を撮影しようと試みる。表示手段１Ａの１Ｚで示される部分に撮影されるまたは撮影された画像が表示される。見本画像領域は１Ｙは所定時間残るが、所定時間経過すると消えて撮影のときに邪魔にならないように制御回路１Ｆにより制御される。【００２４】  図７は本発明の第３の実施例を示し、現在位置をマニュアル入力せずにＧＰＳによって検知して、検知された現在位置を入力する。
４は三脚で、三脚４には取り付けられ、カメラの光軸の方向を変更する５で示す雲台が示されている。雲台５では固定台５Ａ、可動台５Ｂ、可動台５Ｃ、可動台５Ｄからなる雲台に固定されている。固定台５Ａに対し可動台５Ｂは軸５Ｅ周りに回転可能である。可動台５Ｂに対し可動台５Ｃは軸５Ｆ周りに回転可能である。可動台５Ｃに対し可動台５Ｄは軸５Ｇ周りに回転可能である。デジタルカメラ１は可動台５Ｄに固定されている。軸５Ｅ、軸５Ｆ、軸５Ｇは互いに直交している。軸５Ｅ、軸５Ｆ、軸５Ｇの基準位置からの回転量が不図示のポテンショメータ等で検出され、検出データが制御回路に供給される。制御回路はこれらの検出データに基づき、雲台５に対するデジタルカメラ１の相対的な回転角度を演算する。【００２５】  図８は本発明の第３の実施例のデジタルカメラシステムの作動を示すブロック図である。
まずＧＰＳ操作スイッチ１Ｇをオンすると制御回路１Ｅを通して衛星より現在位置情報を取得し、ネットワーク２を介してサーバー３に伝送する。【００２６】  サーバーはあらかじめ記憶している現在位置情報の近傍の少なくとも１つの画像をデジタルカメラの表示手段１Ａに伝送する。【００２７】  デジタルカメラ１の表示手段１Ａに表示された少なくとも１つの画像の中から１つの画像を、撮影者が画像選択スイッチ１Ｃをオンすると選択する。【００２８】  画像が選択されると、その画像が撮影された場所の緯度、経度、レンズ光軸の地面からの高さ、方位角、仰角に関する情報を通信接点１Ｘより通信接点５Ｘを介して雲台５に伝送する。【００２９】  図９は本発明の第３の実施例について見本画像を取得するモードにおける制御回路１Ｅの作動を示すフローチャートを示す。
Ｓ３１で示すようにデジタルカメラ１のＧＰＳ操作スイッチ１Ｇをオンすると、Ｓ３２で示すようにＧＰＳで現在位置情報を取得する。Ｓ３３で示すようにサーバー３に前述の取得された現在位置情報を伝送する。Ｓ３４で示すようにサーバー３から現在位置に対して所定の距離範囲内の画像をデジタルカメラ１に対してネットワーク２を介して送信する。Ｓ３５で表示手段１Ａに送信された少なくとも一つの画像を図４で示すように表示する。Ｓ３６で表示された画像の中から所望の画像があるかどうかを判定し、Ｓ３７のように所望の画像があったとき、画像選択スイッチ１Ｃをオンすることにより所望の画像を選択し、Ｓ３８で示すように画像を入手するとともにその情報、この実施例ではこの画像を撮影した現在位置の緯度、経度、レンズの光軸の高さ、方位角、仰角のデータを入手し、Ｓ３９で示すように、デジタルカメラ１から通信接点１Ｘ、雲台の通信接点５Ｘを介して前記入手されたデータが雲台５に送信される。雲台５には不図示のモータがそれぞれ設けられており、Ｓ４０で示すようにモータが回転され所定の回転量回転したかどうかを不図示のポテンシオメータで検出し、所望の回転量になったときに回転を停止する。
もしもＳ３６で所望の画像が得られないときはＳ４２に示すように見本画像の取得を断念して終了する。【００３０】  図５は、サーバー３からデジタルカメラ１に送信された現在位置に対して所定の距離範囲内の少なくとも一つの画像を示し、図１０は図５に示された画像の現在位置の緯度、経度、レンズの光軸の高さ、方位角、仰角のデータを示すデータをサーバー３からデジタルカメラ１に送信される。例えば見本画像Ａの画像を撮ろうとするデジタルカメラ１の使用者は示された緯度３５．１度、経度１３５．５度まで移動すると共に、レンズの光軸までレンズを１．５ｍにセットし、この画像及び上記データの中からデジタルカメラの使用者が画像選択スイッチ１Ｃをオンして一つの画像とデータを選択してそのデータを雲台５に通信接点１Ｘ、５Ｘを介して送り、雲台を方位角２０度、仰角０度になるように不図示のモータで駆動し撮影準備状態とする。【００３１】  図１１は本発明の第４の実施例についてのフローチャートを示す。
図９のＳ３６で所望の画像がないときにＳ４２で見本画像の取得を断念していたが、図１１は、検索範囲、すなわちＧＰＳ範囲を拡大するかどうか判定するものである。
Ｓ５１で示すようにデジタルカメラ１のＧＰＳ操作スイッチ１Ｇをオンすると、Ｓ５２で示すようにＧＰＳで現在位置情報を取得する。Ｓ５３で示すようにサーバー３に前述の取得された現在位置情報を伝送する。Ｓ５４で示すようにサーバー３から現在位置に対して所定の距離範囲内の画像をデジタルカメラ１に対してネットワーク２を介して送信する。Ｓ５５で表示手段１Ａに送信された少なくとも一つの画像を図４で示すように表示する。Ｓ５６で表示された画像の中から所望の画像があるかどうかを判定し、Ｓ５７のように所望の画像があったとき、画像選択スイッチ１Ｃをオンすることにより所望の画像を選択し、Ｓ５８で示すように画像を入手するとともにその情報、この実施例ではこの画像を撮影した現在位置の緯度、経度、レンズの光軸の高さ、方位角、仰角のデータを入手し、Ｓ５９で示すように、デジタルカメラ１から通信接点１Ｘ、雲台の通信接点５Ｘを介して前記入手されたデータが雲台５に送信される。雲台５には不図示のモータがそれぞれ設けられており、Ｓ６０で示すようにモータが回転され所定の回転量回転したかどうかを不図示のポテンシオメータで検出し、所定の回転量になり、所望の回転量になったときに回転を停止する。
もしもＳ５６で所望の画像が得られないときはＳ６２でさらに検索範囲、ＧＰＳ範囲を拡大するかどうかを判定し、拡大する場合は、デジタルカメラ１から指示してＳ６３に移行し拡大したＧＰＳ範囲の画像をサーバーからデジタルカメラ１に伝送させて所望の見本画像を得ようとする。もしもＳ６２でＧＰＳ範囲を拡大しないと判定したときは見本画像の取得を断念する。
【図面の簡単な説明】
【００３２】
【図１】  本発明のデジタルカメラシステムの第１の実施例の概念図
【図２】  本発明の第１の実施例のブロック図
【図３】  本発明の第１の実施例を示すフローチャート
【図４】  本発明の第２の実施例を示すフローチャート
【図５】  本発明のサーバー３からデジタルカメラに送信された図の例
【図６】  撮影時にデジタルカメラの表示手段に表示される画像例
【図７】  本発明のデジタルカメラシステムの第３の実施例の概念図
【図８】  本発明の第３の実施例のブロック図
【図９】  本発明の第３の実施例を示すフローチャート
【図１０】  現在位置の近傍の見本画像の測位、緯度、経度、方位、仰角データ
【図１１】  本発明の第４の実施例を示すフローチャート
【図１２】  従来例の表示手段を示す図
【図１３】  従来例の見本画像の切換を示す図
【図１４】  従来例で記憶された見本画像の表示順位とシーンＮｏ．の関係
【符号の説明】
【００３３】１            デジタルカメラ
１Ａ        表示手段
１Ｂ        現在位置情報入力手段
１Ｃ        画像選択スイッチ
１Ｄ        電源
１Ｅ        制御回路
１Ｆ        方位センサ
１Ｇ        ＧＰＳ操作スイッチ
１Ｈ        配線コード
１Ｘ        通信接点
２            ネットワーク
３            サーバー
４            三脚
５            雲台
５Ａ        固定台
５Ｂ        可動台
５Ｃ        可動台
５Ｄ        可動台
５Ｅ〜５Ｇ  軸
【図１】
2010119069.tif 000003
【図２】
2010119069.tif 000004
【図３】
2010119069.tif 000005
【図４】
2010119069.tif 000006
【図５】
2010119069.tif 000007
【図６】
2010119069.tif 000008
【図７】
2010119069.tif 000009
【図８】
2010119069.tif 000010
【図９】
2010119069.tif 000011
【図１０】
2010119069.tif 000012
【図１１】
2010119069.tif 000013
【図１２】
2010119069.tif 000014
【図１３】
2010119069.tif 000015
【図１４】
2010119069.tif 000016